(57)【要約】【課題】環境音に限定されない、複数の外部環境の判断を組み合わせることで、出力する音声の音量を、煩雑な操作を伴うことなく変更することが可能な音声再生装置およびプログラムを提供することを目的とする。【解決手段】デジタルカメラ１００は、環境音を集音する指向性マイク３００と、音声を出力するスピーカ３２０と、デジタルカメラ１００の位置を取得する測位手段１０４と、指向性マイク３００により集音された環境音の音量、および、測位手段１０４により取得された位置に基づいて、スピーカ３２０から出力される音声の音量を制御する音声制御部１１６と、を備えることを特徴とする。【選択図】図２
2010136034.tif 000002
【特許請求の範囲】
【請求項１】
環境音を集音する集音部と、
音声を出力する音声出力部と、
当該音声再生装置の位置を取得する測位手段と、
前記集音部により集音された前記環境音の音量、および、前記測位手段により取得された前記位置に基づいて、前記音声出力部から出力される前記音声の音量を制御する音声制御部と、
を備えることを特徴とする音声再生装置。
【請求項２】
請求項１に記載の音声再生装置において、前記音声制御部は、
前記集音部により集音された前記環境音の音量が所定の閾値以下である場合、あるいは、当該音声再生装置の位置が所定のエリアに含まれる場合に、前記音声出力部から出力される音声の音量を所定のレベル以下まで低減することを特徴とする音声再生装置。
【請求項３】
請求項１または２に記載の音声再生装置において、前記測位手段は、
アクセスポイントへの無線通信を確立する無線通信部と、
前記無線通信によって、前記アクセスポイントの位置情報と該アクセスポイントからの距離とを含む位置特定情報を取得する位置特定情報取得部と、
を含むことを特徴とする音声再生装置。
【請求項４】
請求項３に記載の音声再生装置において、
前記位置特定情報取得部は、前記アクセスポイントから前記無線通信部が受信する電波の電波出力に基づいて、前記アクセスポイントからの距離を取得することを特徴とする音声再生装置。
【請求項５】
請求項３または４に記載の音声再生装置において、
前記無線通信部は、前記アクセスポイントのいずれかを介して通信ネットワーク上のサーバにさらにアクセスし、前記位置特定情報を該サーバに送信し、
前記音声制御部は、前記所定のエリアを差別化したマップを備えた前記サーバが、前記位置特定情報に基づいて返信する、当該音声再生装置の位置が前記所定のエリアに含まれるか否かの情報を取得することを特徴とする音声再生装置。
【請求項６】
コンピュータを、
環境音を集音する集音部と、
音声を出力する音声出力部と、
前記コンピュータの位置を取得する測位手段と、
前記集音部により集音された前記環境音の音量、および、前記測位手段により取得された前記位置に基づいて、前記音声出力部から出力される前記音声の音量を制御する音声制御部として前記音声再生装置を機能させることを特徴とするプログラム。
【発明の詳細な説明】
【技術分野】
【０００１】
本発明は、音量を調節可能な音声再生装置と、かかる音声再生装置に読み込み可能なプログラムとに関するものである。
【背景技術】
【０００２】
デジタルカメラや携帯電話機など、効果音や音声付動画などの音声を発する電子機器（以下「音声再生装置」と呼ぶ）の音量は、場所に応じて、周囲の迷惑とならないよう、調節する必要がある。しかし常に環境に配慮して音量を絞ることができるとは限らないし、そのような操作は煩雑でもある。
【０００３】
例えば特許文献１には、マイクによって環境音の大きさを取得し、この環境音の大きさと閾値とを比較し、効果音を適切な音量に制御するデジタル撮像装置が提案されている。かかる技術によれば、静粛な環境の環境音に応じて自動的に音量が絞られる。
【特許文献１】特開２００４−９６６３５号公報
【発明の開示】
【発明が解決しようとする課題】
【０００４】
しかし、特許文献１に記載の技術では、マイクで集音した環境音の音量に基づいて効果音の音量を決定しているため、静粛にすべき場所で例外的な騒音が発生すると、その騒音に起因して効果音も大きくなってしまう。
【０００５】
本発明は、このような課題に鑑み、環境音に限定されない、複数の外部環境の判断を組み合わせることで、出力する音声の音量を、煩雑な操作を伴うことなく変更することが可能な音声再生装置およびプログラムを提供することを目的としている。
【課題を解決するための手段】
【０００６】
上記課題を解決するために、本発明にかかる音声再生装置の代表的な構成は、環境音を集音する集音部と、音声を出力する音声出力部と、当該音声再生装置の位置を取得する測位手段と、集音部により集音された環境音の音量、および、測位手段により取得された位置に基づいて、音声出力部から出力される音声の音量を制御する音声制御部と、を備えることを特徴とする。
【０００７】
上記の構成によれば、環境音だけでなく、音声再生装置の現在位置にも基づいて、出力する音声の音量が制御されるため、より環境に配慮した音量の制御が可能となる。ここで、「音量の制御」とは、音量を絞ることに限られず、音量を維持することや、音量を上げることをも含む。
【０００８】
上記の集音部により集音された環境音の音量が所定の閾値以下である場合、あるいは、当該音声再生装置の位置が所定のエリアに含まれる場合に、音声出力部から出力される音声の音量を所定のレベル以下まで低減するとよい。
【０００９】
上記の構成によれば、環境音の大きさに拘らず、病院や図書館など、静粛さを必要とする場所では、音声再生装置の出力する音声の音量が絞られ、周囲に迷惑をかけずにすむ。
【００１０】
一方、静けさを保つ必要がない場所では、環境音の大きさに応じて音声の音量を自動的に調節してもよいし、環境音の大きさに拘らず、音声の音量を絞らない設定とすることも可能である。
【００１１】
上記の測位手段は、アクセスポイントへの無線通信を確立する無線通信部と、無線通信によってアクセスポイントの位置情報とアクセスポイントからの距離とを含む位置特定情報を取得する位置特定情報取得部と、を含んでよい。
【００１２】
上記の構成によれば、自己の位置を取得する手段として無線通信を利用するため、ＧＰＳの衛星を捕捉しにくい屋内などでもアクセスポイントがあれば位置を取得できる利点がある。
【００１３】
上記の位置特定情報取得部は、アクセスポイントから無線通信部が受信する電波の電波出力に基づいて、アクセスポイントからの距離を取得するとよい。アクセスポイントからの距離が分かれば、音声再生装置の現在位置が測定できるからである。
【００１４】
上記の無線通信部は、アクセスポイントのいずれかを介して通信ネットワーク上のサーバにさらにアクセスし、位置特定情報をサーバに送信し、音声制御部は、所定のエリアを差別化したマップを備えたサーバが、位置特定情報に基づいて返信する、当該音声再生装置の位置が所定のエリアに含まれるか否かの情報を取得するとよい。静けさを保つ必要があるエリアにいるか否かの情報を取得するためである。
【００１５】
上記課題を解決するために、本発明にかかるプログラムの代表的な構成は、コンピュータを、環境音を集音する集音部と、音声を出力する音声出力部と、コンピュータの位置を取得する測位手段と、集音部により集音された環境音の音量、および、測位手段により取得された位置に基づいて、音声出力部から出力される音声の音量を制御する音声制御部として音声再生装置を機能させることを特徴とする。
【００１６】
上述した音声再生装置における技術的思想に対応する構成要素やその説明は、当該プログラムにも適用可能である。
【発明の効果】
【００１７】
本発明によれば、環境音だけでなく、音声再生装置の現在位置にも基づいて、出力する音声の音量が制御されるため、より環境に配慮した音量の制御が可能となる。例えば、環境音の大きさに拘らず、病院や図書館など、静粛さを必要とする場所では、音声再生装置の出力する音声の音量が絞られ、周囲に迷惑をかけずにすむ。
【００１８】
一方、静けさを保つ必要がない場所では、環境音の大きさに応じて音声の音量を自動的に調節してもよいし、環境音の大きさに拘らず、音声の音量を絞らない設定とすることも可能である。
【発明を実施するための最良の形態】
【００１９】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。さらに、信号や電流はそれらが通る線路の符号によって表記するものとする。
【００２０】
（位置推定システム）
図１は、本発明にかかる音声再生装置の実施形態であるデジタルカメラ１００が利用する、無線ＬＡＮ技術に基づいた位置推定システム１０２の概略図である。図２は図１のデジタルカメラ１００のブロック図である。
【００２１】
（測位手段）
デジタルカメラ１００は、それ自体の位置を取得する測位手段１０４を備えている。測位手段１０４は、無線ＬＡＮアクセスポイント１０６Ａ、１０６Ｂ、１０６Ｃへの無線通信を確立する無線通信部、すなわち無線ＬＡＮインターフェース１０８と、アクセスポイント１０６Ａ、１０６Ｂ、１０６Ｃの位置情報とアクセスポイント１０６Ａ、１０６Ｂ、１０６Ｃからの距離Ｄ１、Ｄ２、Ｄ３（図３参照）とを含む位置特定情報を取得する位置特定情報取得部１１０とを含む。
【００２２】
無線ＬＡＮインターフェース１０８の規格として、例えばＷｉ−Ｆｉを用いてよい。無線ＬＡＮインターフェース１０８は、付近のアクセスポイントを探索し、それらアクセスポイントからビーコン信号を受信する。
【００２３】
（位置推定の原理）
図３は図１のデジタルカメラが位置推定を行う原理を示す原理図である。位置特定情報取得部１１０は、アクセスポイント１０６Ａ、１０６Ｂ、１０６Ｃから無線ＬＡＮインターフェース１０８が受信する電波の電波出力に基づいて、アクセスポイント１０６Ａ、１０６Ｂ、１０６Ｃからの距離Ｄ１、Ｄ２、Ｄ３を取得可能である。
【００２４】
アクセスポイント１０６Ａ、１０６Ｂ、１０６Ｃからの距離Ｄ１、Ｄ２、Ｄ３を算出しないまでも、電波出力を比較すれば、各アクセスポイント１０６Ａ、１０６Ｂ、１０６Ｃを、近接している順番にランキングできる（例えばアクセスポイント１０６Ｂ、１０６Ｃ、１０６Ａの順）。これによって、最短距離にある３点のアクセスポイント１０６Ａ、１０６Ｂ、１０６Ｃが判明する。それら最も近接したアクセスポイントからのビーコン信号の電波情報Ｗ１、Ｗ２、Ｗ３を受信すれば、それら３点のアクセスポイント１０６Ａ、１０６Ｂ、１０６Ｃで囲まれた三角形の領域にデジタルカメラ１００が位置している可能性が高いことが判明する。なお無線通信が確立されるアクセスポイントの数は、測位精度を高めるため、３つ以上が好ましいが、２つまたは１つでもよい。少なくとも１つのアクセスポイントとの無線通信が確立されれば、そのアクセスポイントを中心とし、そのアクセスポイントからの距離を半径とする略円形の領域にデジタルカメラ１００が位置していることが分かるからである。
【００２５】
ここで「電波情報」とは、ビーコン信号から得られる、アクセスポイントに固有の識別情報であり、例えば「４２５６５６．４５６２８９」などの数字の羅列で表される。これを後述のサーバ１１４に照会することにより、経緯度などのアクセスポイントの絶対的な位置情報が得られる。
【００２６】
各アクセスポイント１０６Ａ、１０６Ｂ、１０６Ｃの位置情報（電波情報Ｗ１、Ｗ２、Ｗ３に対応）と、距離Ｄ１、Ｄ２、Ｄ３とを利用すれば、デジタルカメラ１００の現在位置Ｐを特定することもできる。
【００２７】
以上のように、自己の現在位置を取得する手段として無線ＬＡＮを利用すれば、ＧＰＳ衛星を捕捉しにくい屋内などでも、アクセスポイントがあれば、自己の位置を取得できる利点がある。
【００２８】
（マップ）
図４は図１のデジタルカメラが音声の音量を絞るか否かの判断をするために利用するマップの一例を示す図である。
【００２９】
上記の無線ＬＡＮインターフェース１０８は、アクセスポイント１０６Ａ、１０６Ｂ、１０６Ｃのいずれかを介して、例えばインターネット１１２などの通信ネットワーク上のサーバ１１４にさらにアクセスし、位置特定情報をサーバ１１４に送信する。
【００３０】
位置特定情報は、厳密には、アクセスポイント１０６Ａ、１０６Ｂ、１０６Ｃの位置情報（電波情報Ｗ１、Ｗ２、Ｗ３に対応）とアクセスポイント１０６Ａ、１０６Ｂ、１０６Ｃからの距離Ｄ１、Ｄ２、Ｄ３とを含む。しかし、少なくとも、最も近接したアクセスポイント１０６Ａ、１０６Ｂ、１０６Ｃの位置情報さえサーバに送信すればよい。３点のアクセスポイント１０６Ａ、１０６Ｂ、１０６Ｃで囲まれた三角形の領域にデジタルカメラ１００が位置している可能性が高く、おおよその位置を推定可能だからである。
【００３１】
デジタルカメラ１００は音声制御部１１６を備えていて、これは、後述の音声処理部３１０を介して、スピーカ３２０から出力される音声の音量を制御する。
【００３２】
サーバ１１４には、静けさを保つ必要がある音量調整エリア１１８を設定したマップ１２０を予め用意しておく。音量調整エリア１１８は、例えば病院１２１や図書館１２３の位置に基づいて決定してよい。
【００３３】
音声制御部１１６は、マップ１２０を備えたサーバ１１４が、デジタルカメラ１００からの位置特定情報に基づいて返信する、デジタルカメラ１００の現在位置Ｐが音声調整エリア１１８に含まれるか否かの情報を取得する。かかる情報の取得は一定周期で継続される。
【００３４】
音声制御部１１６は、後述のように、集音された環境音に応じて音声の音量を制御する機能をも有する。ここで「環境音」とは、特定物体又は特定画像の周囲で聞こえる音を意味し、人の音声、自動車の音、工事の音のほか、風や動物の鳴き声等の単独又は重畳した音を指す。しかし、集音された環境音の音量に拘らず、デジタルカメラ１００の現在位置Ｐが音声調整エリア１１８に含まれる場合に、音声出力部（本実施形態ではスピーカ３２０）から出力される音声の音量を所定のレベル以下まで低減する。
【００３５】
上記の構成によれば、環境音の大きさに拘らず、病院１２１や図書館１２３など、静粛さを必要とする音声調整エリア１１８では、デジタルカメラ１００の音声の音量が低減され、周囲に迷惑をかけずにすむ。このとき、音声を消音（ミュート）してもよい。
【００３６】
一方、静けさを保つ必要がない場所では、後述のように環境音の大きさに応じて音声の音量を自動的に調節してもよいし、環境音の大きさに拘らず、音声の音量を絞らない設定とすることも可能である。
【００３７】
このように、音声制御部１１６は、集音された環境音の音量、および、測位手段１０４により取得された位置、の両方に基づいて、スピーカ３２０から出力される音声の音量を制御する。ここで「音量の制御」とは、音量を絞ることに限られず、音量を維持することや、音量を上げることをも含む。
【００３８】
なお、音声調整エリア１１８に限らず、様々な位置情報をマップ１２０から取得することができる。例えば美術館で撮影をするときには、周囲の迷惑にならないよう、フラッシュ３９０を使用不能にしたり、現在位置が海であると判定したら海モードで撮影したりするなど、音声以外の機能制御も可能である。
【００３９】
（環境音）
再び図２を参照する。デジタルカメラ１００は、環境音を集音する集音部（本実施形態では指向性マイク３００）と、音声を出力するスピーカ３２０とを供えている。また、音声制御部１１６は、集音された環境音の音量が所定の閾値以下である場合、あるいは、デジタルカメラ１００の位置が音声調整エリア１１８に含まれる場合に、スピーカ３２０から出力される音声の音量を所定のレベル以下まで低減する。
【００４０】
本実施形態では、基準音量レベルが「レベル３」、「レベル２」、「レベル１」および「レベル０」から選択可能とする。ここでレベルｎ（ｎ＝０〜３）は音量を示し、ｎが大きいほど音量が大きい。また、レベル０は、無音であること、すなわち、音声の出力を行わないことを示している。
【００４１】
そして、音量を低減するときは、レベル２またはレベル３であった音量をレベル１まで低減する。すなわち、上記「所定のレベル」をレベル１とする。
【００４２】
（デジタルカメラ構成）
図２を用いて、デジタルカメラのその他の構成について、以下、説明する。撮像部２２０はＣＣＤ（Charge Coupled Device; 電荷結合素子）としてよく、被写界を撮像して電子的な画像信号を生成する撮像手段であり、例えば１６００×１２００個の画素を有する。撮像部２２０は、撮像レンズ２１０によって結像された被写体の光像を、画素毎にＲ（赤）、Ｇ（緑）、Ｂ（青）の色成分の画像信号（各画素で受光された画素信号の信号列からなる信号）に光電変換して出力する。
【００４３】
撮像部２２０から得られる画像信号（アナログ信号）は、アナログ信号処理回路２３０に与えられる。アナログ信号処理回路２３０は、画像信号に対して所定のアナログ信号処理を行う回路である。アナログ信号処理回路２３０は、少なくとも相関二重サンプリング回路（Correlated Double Sampling：ＣＤＳ。図示省略）およびオートゲインコントロール（Auto Gain Controlled：ＡＧＣ。図示省略）回路を含む。相関二重サンプリング回路によって画像信号のノイズ低減処理が行われ、オートゲインコントロール回路でゲイン調整することによって、画像信号のレベル調整が行われる。
【００４４】
Ａ／Ｄ変換器２４０は、画像信号の各画素信号を、例えば１２ビットのデジタル信号に変換する。変換後のデジタル信号は、中央処理装置（ＣＰＵ: Central Processing Unit）２５０に与えられ、画像データとして一時的にＲＡＭ（Random Access Memory）２６０に格納される。ＲＡＭ２６０に保存された画像データは、画像処理部２８０によって色補正処理等を施された後、圧縮伸張部２９０による圧縮処理等が施される。
【００４５】
また、指向性マイク３００から得られる環境音などの音声信号は、音声処理部３１０に入力される。音声処理部３１０に入力された音声信号は、音声処理部３１０内に設けられたＡ／Ｄ変換器（図示省略）により、デジタル信号に変換され、一時的にＲＡＭ２６０に格納される。デジタル化された音声信号は、再び音声処理部３１０に送り、スピーカ３２０から再生可能である。
【００４６】
操作部３３０は、電源ボタン３３０Ａ、各種の操作ボタン３３０Ｂ、シャッタレリーズボタン３３０Ｃ等を含み、ユーザがデジタルカメラ１００の設定を変更操作する際や撮像操作を行う際等に用いられる。
【００４７】
電源装置３４０は、デジタルカメラ１００に対する電源供給源である。これはリチウムイオン電池などの二次電池を用いてよい。
【００４８】
ＣＰＵ２５０は、ＲＡＭ２６０およびＲＯＭ（Read Only Memory）３５０に記録された所定のプログラムを実行することにより、上記各部を統括的に制御する。なお、ＲＡＭ２６０は、高速アクセス可能な半導体メモリであり、ＲＯＭ３５０は電気的に書き換えが不可能な不揮発の半導体メモリ（例えばフラッシュＲＯＭ）として構成される。また、ＲＡＭ２６０内における一部の領域は、一時記憶用のバッファエリアとして機能し、画像データおよび音声データを一時的に記憶する。
【００４９】
ＣＰＵ２５０の各処理部２８０、２９０、３１０は、マイクロコンピュータが所定のプログラムを実行することにより実現される、機能部位である。
【００５０】
画像処理部２８０は、ＷＢ（ホワイトバランス）処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。圧縮伸張部２９０は、画像処理部２８０によって色補正処理等が行われた画像データを、さらに圧縮する。圧縮方式としては、例えばＪＰＥＧ（Joint Photographic Experts Group）方式などが採用される。音声処理部３１０は、音声データに対する各種のデジタル処理を施す処理部である。
【００５１】
このような構成を有するＣＰＵ２５０によって、撮像モード、再生モードの処理が行われる。例えば、撮像モードにおいては、まず撮像部２２０をビューファインダ（ＬＣＤ３８０）画像出力用の動作モードに設定した上で所定周期（例えば３０コマ／秒）の撮像を行い、撮像に応じた画像データを逐次出力する（予備撮像）。撮像部２２０から出力された画像データは、アナログ信号処理回路２３０、Ａ／Ｄ変換器２４０、画像処理部２８０を介してＬＣＤ３８０にビューファインダ画像として表示される。この状態で、シャッタレリーズボタン３３０Ｃがユーザによって半押し（Ｓ１状態）されると、ＣＰＵ２５０は、撮像部２２０から入力される予備撮像の画像データに基づき、ＡＥ（Auto Exposure）評価値およびＡＦ（Auto Focus）評価値を求める。ＣＰＵ２５０はＡＦ評価値に基づいて合焦位置を、公知の例えば山登り方式によって求め、ＡＥ／ＡＦ部３６０を用いて、合焦位置に撮像レンズ２１０を移動させる。また、ＣＰＵ２５０はＡＥ評価値に基づいて、本撮像時のシャッタスピード（撮像部２２０における電荷蓄積時間）、撮像レンズ２１０の絞り値およびアナログ信号処理回路２３０におけるオートゲインコントロールのゲイン値を決定する。
【００５２】
ＣＰＵ２５０は、撮像モードにおいてシャッタレリーズボタン３３０Ｃが全押し（Ｓ２状態）されると、撮像部２２０の動作モードを本撮像用の動作モードに設定した上で被写体を撮像し、撮像部２２０で取得された撮像画像データに基づき、圧縮伸張部２９０で圧縮画像を生成する。そして、圧縮された高解像度の画像データは、記録媒体３７０に記録される。記録媒体３７０は例えばＳＤカード（登録商標）としてよい。
【００５３】
さらに、ＣＰＵ２５０は、記録媒体３７０から、デジタルカメラ１００で動作するプログラムを取り込むことも可能である。例えば、記録媒体３７０に記録されている制御プログラムを、ＲＡＭ２６０またはＲＯＭ３５０内に取り込むことができる。これにより、制御プログラムを更新することも可能である。
【００５４】
ＬＣＤ（Liquid Crystal Display）３８０は、被写界を表示するほか、ユーザに対する各種メニューを表示し、操作のための情報を提供する表示装置である。フラッシュ３９０は、発光が許可されている状態で撮影補助光を発して被写体を照射する発光装置である。
【００５５】
（プログラム）
図５は本実施形態にかかるプログラムの処理を示すフローチャートである。同プログラムは、記録媒体３７０に記録され、ＲＡＭ（Random Access Memory）２６０に読み込まれ、ＣＰＵ２５０によって実行される。
【００５６】
同プログラムの動作によれば、まず、ＣＰＵ２５０は、指向性マイク３００に環境音を集音させる（ステップＳ５００）。次に、ＣＰＵ２５０は、指向性マイク３００によって集音された環境音の音量が所定の閾値以下であるか否かを判定し（ステップＳ５０２）、閾値以下である場合には、音声制御部１１６によって、スピーカ３２０から出力される音声の音量を所定のレベル以下まで低減する（ステップＳ５０４）。環境音が閾値より大きい場合には、ＣＰＵ２５０は、測位手段１０４に、デジタルカメラ１００の現在位置Ｐを取得させる（ステップＳ５０６）。ＣＰＵ２５０は、取得されたデジタルカメラ１００の位置が音声調整エリア１１８に含まれるか否かを判定し（ステップＳ５０８）、含まれる場合には、音声制御部１１６によって、集音された環境音の音量に拘らず、スピーカ３２０から出力される音声の音量を所定のレベル以下まで低減させる（ステップＳ５１０）。本プログラムは、デジタルカメラ１００を携帯するユーザの移動を想定して、本実施形態のように、一定周期で繰り返し実行するとよい。
【００５７】
上記のプログラム動作の結果、音声の音量は以下のように制御される。
環境音：小、音声調整エリア１１８内→音量低減
環境音：大、音声調整エリア１１８内→音量低減（従来、低減しなかった）
環境音：小、音声調整エリア１１８外→音量低減
【００５８】
環境音：大、音声調整エリア１１８外→音量低減しない
なお、本明細書のプログラムにおける各工程は、必ずしもフローチャートとして記載された順序に沿って時系列に処理する必要はなく、並列的あるいはサブルーチンによる処理を含んでもよい。
【００５９】
例えば、図５のフローチャートでは、環境音の音量が所定の閾値以下であるか否かの判定（ステップＳ５００）を先に行っているが、デジタルカメラ１００の位置が音声調整エリア１１８に含まれるか否かの判定（ステップＳ５０８）を先行して行ってもよい。いずれを先行して行う場合も、先行して行う判定の結果、音声の音量を低減することを決定したら、後に行われる判定は不要となる。
【００６０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６１】
本発明は、音量を調節可能な音声再生装置と、かかる音声再生装置に読み込み可能なプログラムとに利用することができる。
【図面の簡単な説明】
【００６２】
【図１】本発明にかかる音声再生装置の実施形態であるデジタルカメラが利用する、無線ＬＡＮ技術に基づいた位置推定システムの概略図である。
【図２】図１のデジタルカメラのブロック図である。
【図３】図１のデジタルカメラが位置推定を行う原理を示す原理図である。
【図４】図１のデジタルカメラが音声の音量を絞るか否かの判断をするために利用するマップの一例を示す図である。
【図５】本実施形態にかかるプログラムの処理を示すフローチャートである。
【符号の説明】
【００６３】
１００  …デジタルカメラ
１０２  …位置推定システム
１０４  …測位手段
１０６Ａ、１０６Ｂ、１０６Ｃ  …アクセスポイント
１０８  …無線ＬＡＮインターフェース
１１０  …位置特定情報取得部
１１２  …インターネット
１１４  …サーバ
１１６  …音声制御部
１１８  …音声調整エリア
１２０  …マップ
１２１  …病院
１２３  …図書館
２６０  …ＲＡＭ
３００  …指向性マイク
３１０  …音声処理部
３２０  …スピーカ
３７０  …記録媒体
【図１】
2010136034.tif 000003
【図２】
2010136034.tif 000004
【図３】
2010136034.tif 000005
【図４】
2010136034.tif 000006
【図５】
2010136034.tif 000007